(57)【要約】【課題】  ユーザの使い勝手を格段と向上し得る情報処理装置及びその設定方法を提案する。【解決手段】  外部入力による各種の操作内容に応じた処理を実行する情報処理装置及びその設定方法において、それぞれ所定の操作内容が割り当てられた複数の操作子のうち指定された各操作子を操作禁止対象として設定して記憶しておき、続いて各操作子からの入力を無効にするための設定スイッチがオン状態で、かつ複数の操作子のうち任意の操作子からの入力があったとき、記憶された設定内容に基づいて、当該操作子が操作禁止対象であるか否かを判断した後、当該判断結果に基づいて、操作された操作子が操作禁止対象である場合には当該操作子からの入力を無効にする一方、操作された操作子が操作禁止対象でない場合には当該操作子からの入力を有効にするようにした。【選択図】        図１１
2006040408.tif 000002
【特許請求の範囲】
【請求項１】
外部入力による各種の操作内容に応じた処理を実行する情報処理装置において、
それぞれ所定の上記操作内容が割り当てられた複数の操作子及び当該各操作子からの入力を無効にするための設定スイッチからなる入力手段と、
上記複数の操作子のうち指定された各上記操作子を操作禁止対象として設定する設定手段と、
上記設定手段による設定内容を記憶する記憶手段と、
上記設定スイッチがオン状態で、かつ上記複数の操作子のうち任意の上記操作子からの入力があったとき、上記記憶手段から上記設定内容を読み出して、当該操作子が上記操作禁止対象であるか否かを判断する判断手段と、
上記判断手段による判断結果に基づいて、上記操作された操作子が上記操作禁止対象である場合には当該操作子からの入力を無効にする一方、上記操作された操作子が上記操作禁止対象でない場合には当該操作子からの入力を有効にする制御手段と
を具えることを特徴とする情報処理装置。
【請求項２】
上記設定手段は、
上記入力手段における上記複数の操作子のうち少なくとも２以上の上記操作子と、当該各操作子からの入力内容を表示するための表示手段とを有し、
設定開始時に、該当する各上記操作子に割り当てられている操作内容を切り換えると共に、上記複数の操作子をそれぞれ表すマークを所定の配列状態で上記表示手段に表示させた後、各上記操作子からの入力に応じて指定された上記マークに対応する上記操作子を上記操作無効対象として設定する
ことを特徴とする請求項１に記載の情報処理装置。
【請求項３】
外部入力による各種の操作内容に応じた処理を実行する情報処理装置の設定方法において、
それぞれ所定の上記操作内容が割り当てられた複数の操作子のうち指定された各上記操作子を操作禁止対象として設定して記憶しておく第１のステップと、
各上記操作子からの入力を無効にするための設定スイッチがオン状態で、かつ上記複数の操作子のうち任意の上記操作子からの入力があったとき、上記記憶された設定内容に基づいて、当該操作子が上記操作禁止対象であるか否かを判断する第２のステップと、
上記判断結果に基づいて、上記操作された操作子が上記操作禁止対象である場合には当該操作子からの入力を無効にする一方、上記操作された操作子が上記操作禁止対象でない場合には当該操作子からの入力を有効にする第３のステップと
を具えることを特徴とする情報処理装置の設定方法。
【請求項４】
上記第１のステップでは、
設定開始時に、上記複数の操作子のうち少なくとも２以上の該当する上記操作子に割り当てられている操作内容を切り換えると共に、上記複数の操作子をそれぞれ表すマークを所定の配列状態で表示手段に表示させた後、各上記操作子からの入力に応じて指定された上記マークに対応する上記操作子を上記操作無効対象として設定する
ことを特徴とする請求項３に記載の情報処理装置の設定方法。
【発明の詳細な説明】
【技術分野】
【０００１】
本発明は情報処理装置及びその設定方法に関し、例えば携帯用のオーディオ機器に適用して好適なものである。
【背景技術】
【０００２】
従来、この種のオーディオ機器のうち、例えばＭＤ（Mini Disc）プレーヤは、ＭＤに記録されているオーディオデータを再生するための本体部と、再生されたオーディオデータに基づく音声を放音するためのヘッドホンとから構成されている。
【０００３】
近年、かかるＭＤプレーヤとして、ヘッドホンから引き出されたコードの途中にリモートコントローラを中継させるように取り付けたものが広く普及しており、ユーザの選択に応じて本体部のみならずリモートコントローラを用いて種々の操作を行い得るようになされている。
【０００４】
通常、この種のＭＤプレーヤには、ユーザが鞄や衣服に収納した状態で誤って操作することにより無駄な電力消費を生じるのを未然に防止すべく、本体部及びリモートコントローラについて、それぞれ全ての操作キーを操作無効な状態にさせる機能（以下、これをホールド機能と呼ぶ）が搭載されているものが多い（例えば、特許文献１参照）。
【０００５】
このようなホールド機能は、ＭＤプレーヤの本体部及びリモートコントローラにおいて、単純な押圧式のキーとしてではなく、スライド式のスイッチをロック又は解除させるようにしてオン状態又はオフ状態を切り換えるようになされたものが一般的である。
【特許文献１】特開２００４−１３９６６１公報
【発明の開示】
【発明が解決しようとする課題】
【０００６】
ところで、かかるホールド機能が搭載されたＭＤプレーヤにおいては、本体部及びリモートコントローラの一方又は双方についてホールド機能がオン状態のときは、対応する本体部やリモートコントローラに設けられた全ての操作キーが外部からの操作に対して無効状態となる。
【０００７】
このためＭＤプレーヤの再生時にホールド機能がオン状態にされているときに、ユーザが緊急に再生動作を停止させたい場合や音量を下げたい場合が発生しても、スライド式のスイッチを解除してホールド機能をオフ状態にした後でなければ、所望する操作を行うことができないという煩雑さがあった。
【０００８】
本発明は以上の点を考慮してなされたもので、ユーザの使い勝手を格段と向上し得る情報処理装置及びその設定方法を提案しようとするものである。
【課題を解決するための手段】
【０００９】
かかる課題を解決するため本発明においては、外部入力による各種の操作内容に応じた処理を実行する情報処理装置において、それぞれ所定の操作内容が割り当てられた複数の操作子及び当該各操作子からの入力を無効にするための設定スイッチからなる入力手段と、複数の操作子のうち指定された各操作子を操作禁止対象として設定する設定手段と、設定手段による設定内容を記憶する記憶手段と、設定スイッチがオン状態で、かつ複数の操作子のうち任意の操作子からの入力があったとき、記憶手段から設定内容を読み出して、当該操作子が操作禁止対象であるか否かを判断する判断手段と、判断手段による判断結果に基づいて、操作された操作子が操作禁止対象である場合には当該操作子からの入力を無効にする一方、操作された操作子が操作禁止対象でない場合には当該操作子からの入力を有効にする制御手段とを設けるようにした。
【００１０】
この結果この情報処理装置では、複数の操作子のうちユーザが所望する操作子を予め操作禁止対象としておくことより、ユーザは当該操作子以外の操作禁止対象でない操作子のみを緊急時など必要に応じて瞬時に操作を行うことができる。
【００１１】
また本発明においては、外部入力による各種の操作内容に応じた処理を実行する情報処理装置の設定方法において、それぞれ所定の操作内容が割り当てられた複数の操作子のうち指定された各操作子を操作禁止対象として設定して記憶しておき、続いて各操作子からの入力を無効にするための設定スイッチがオン状態で、かつ複数の操作子のうち任意の操作子からの入力があったとき、記憶された設定内容に基づいて、当該操作子が操作禁止対象であるか否かを判断した後、当該判断結果に基づいて、操作された操作子が操作禁止対象である場合には当該操作子からの入力を無効にする一方、操作された操作子が操作禁止対象でない場合には当該操作子からの入力を有効にするようにした。
【００１２】
この結果この情報処理装置の設定方法では、複数の操作子のうちユーザが所望する操作子を予め操作禁止対象としておくことより、ユーザは当該操作子以外の操作禁止対象でない操作子のみを緊急時など必要に応じて瞬時に操作を行うことができる。
【発明の効果】
【００１３】
上述のように本発明によれば、外部入力による各種の操作内容に応じた処理を実行する情報処理装置において、それぞれ所定の操作内容が割り当てられた複数の操作子及び当該各操作子からの入力を無効にするための設定スイッチからなる入力手段と、複数の操作子のうち指定された各操作子を操作禁止対象として設定する設定手段と、設定手段による設定内容を記憶する記憶手段と、設定スイッチがオン状態で、かつ複数の操作子のうち任意の操作子からの入力があったとき、記憶手段から設定内容を読み出して、当該操作子が操作禁止対象であるか否かを判断する判断手段と、判断手段による判断結果に基づいて、操作された操作子が操作禁止対象である場合には当該操作子からの入力を無効にする一方、操作された操作子が操作禁止対象でない場合には当該操作子からの入力を有効にする制御手段とを設けるようにしたことにより、ユーザは操作禁止対象として設定しなかった操作子のみを緊急時など必要に応じて瞬時に操作を行うことができ、かくしてユーザの使い勝手を格段と向上し得る情報処理装置を実現し得る。
【００１４】
また本発明においては、外部入力による各種の操作内容に応じた処理を実行する情報処理装置の設定方法において、それぞれ所定の操作内容が割り当てられた複数の操作子のうち指定された各操作子を操作禁止対象として設定して記憶しておき、続いて各操作子からの入力を無効にするための設定スイッチがオン状態で、かつ複数の操作子のうち任意の操作子からの入力があったとき、記憶された設定内容に基づいて、当該操作子が操作禁止対象であるか否かを判断した後、当該判断結果に基づいて、操作された操作子が操作禁止対象である場合には当該操作子からの入力を無効にする一方、操作された操作子が操作禁止対象でない場合には当該操作子からの入力を有効にするようにしたことにより、ユーザは操作禁止対象として設定しなかった操作子のみを緊急時など必要に応じて瞬時に操作を行うことができ、かくしてユーザの使い勝手を格段と向上し得る情報処理装置の設定方法を実現し得る。
【発明を実施するための最良の形態】
【００１５】
以下図面について、本願発明の一実施の形態について説明する。
【００１６】
（１）本実施の形態による記録再生装置の外観構成
図１において、１は全体として本実施の形態による記録再生装置を示し、ミニディスク（ＭＤ）方式のディスクを記録媒体としてデータの記録再生を行う本体部２と、再生されたデータに基づく音声を出力するヘッドホン部３とから構成されている。
【００１７】
この本体部２は、略直方体形状の金属材等からなる筐体２Ａを有し、当該筐体２Ａ表面には、各種文字や記号等を表示するための表示部（以下、これを本体側表示部と呼ぶ）４と、各種の機能が割り当てられたキー群でなる操作部（以下、これを本体側操作部と呼ぶ）５とが設けられている。
【００１８】
またヘッドホン部３には、ヘッドホン３Ａから引き出されたコードの途中にリモートコントローラ３Ｃが中継して設けられ、ユーザの選択に応じて本体部２のみならずリモートコントローラ３Ｃを用いて種々の操作を行い得るようになされている。
【００１９】
このヘッドホン部３におけるリモートコントローラ３Ｃは、略円柱形状の金属材等からなる筐体３ＣＡを有し、当該筐体３ＣＡ表面には、各種文字や記号等を表示するための表示部（以下、これをリモコン側表示部と呼ぶ）６と、各種の機能が割り当てられたキー群でなる操作部（以下、これをリモコン側操作部と呼ぶ）７とが設けられている。
【００２０】
ここで本体部２の本体側操作部５及びリモートコントローラ３Ｃのリモコン側操作部７は、ともに所定の配置状態で配置された押圧式のキー群Ｋ１〜Ｋ８とスライド式のロック（Lock）スイッチＳＷ１とから構成されている。このうち押圧式のキー群は、停止キーＫ１と、巻戻しキーＫ２と、再生キーＫ３と、早送りキーＫ４と、ポーズキーＫ５と、音量マイナスキーＫ６と、音量プラスキーＫ７と、メニュー（Menu）キーＫ８からそれぞれ構成されている。
【００２１】
具体的に、停止キーＫ１には、ディスクの再生動作を停止するための機能が割り当てられている。また巻戻しキーＫ２には、再生時には巻戻し動作を行う一方、停止時には前の曲に戻るための機能が割り当てられている。さらに再生キーＫ３には、再生動作を行うための機能が割り当てられている。さらに早送りキーＫ４には、再生時には早送り動作を行う一方、停止時には次の曲に進むための機能が割り当てられている。ポーズキーＫ５には、再生動作を一時的に停止させるための機能が割り当てられている。音量マイナスキーＫ６及び音量プラスキーＫ７には、ヘッドホン３Ａからの出力音量を所定ステップずつデクリメント又はインクリメントさせるための機能が割り当てられている。
【００２２】
またメニューキーＫ８には、本体側表示部４又はリモコン側表示部６にそれぞれユーザによって指定された各種の設定画面を表示させるための機能が割り当てられている。さらにロックスイッチＳＷ１には、本体側操作部５又はリモコン側操作部７の各キー群Ｋ１〜Ｋ８の一部又は全部を操作無効な状態にさせるホールド機能が割り当てられている。このロックスイッチＳＷ１は、所定方向又はこれと逆方向にスライド移動させるようにして、ホールド機能をオン状態又はオフ状態を切り換え得るようになされている。
【００２３】
（２）光磁気記録による次世代ディスクの概要
この記録再生装置１は、既に普及している音楽用途のミニディスクのみではなく、より高密度記録を可能とし、コンピュータユースの各種データのストレージに利用できる高密度ディスク（次世代ディスクとも言う）についても対応し得るようになされている。
【００２４】
ここで、本実施の形態による記録再生装置１の構成の説明に先立って、この記録再生装置１が対応する、光磁気記録による次世代ディスクの概要について説明しておく。
【００２５】
まず、このような次世代ディスクは、現行のパーソナルコンピュータとの親和性が図れるように、ファイル管理システムとしてＦＡＴ（File Allocation Table）システムを使って、オーディオデータのようなコンテンツデータを記録再生するものである。また、現行のＭＤシステムに対して、エラー訂正方式や変調方式等の改善を行うことで、データの記録容量の増大を図るとともにデータの信頼性を高めている。
【００２６】
次世代ディスクの記録再生のフォーマットとしては、現在２種類の仕様が開発されている。説明上、これらを第１の次世代ＭＤ、第２の次世代ＭＤと呼ぶこととする。
【００２７】
第１の次世代ＭＤは、現行のＭＤシステムで用いられているディスクと全く同様のディスクを用いるようにした仕様であり、第２の次世代ＭＤは、現行のＭＤシステムで用いられているディスクと外形は同様であるが、磁気超解像（ＭＳＲ）技術を使うことにより、線記録方向の記録密度を上げて、記録容量をより増大した仕様である。
【００２８】
現行のＭＤシステム（オーディオ用ＭＤやＭＤ−ＤＡＴＡ）では、カートリッジに収納された直径６４ｍｍの光磁気ディスクが記録媒体として用いられている。ディスクの厚みは１.２ｍｍであり、その中央に１１ｍｍの径のセンターホールが設けられている。カートリッジの形状は、長さ６８ｍｍ、幅７２ｍｍ、厚さ５ｍｍである。
【００２９】
第１及び第２の次世代ＭＤの仕様でも、これらディスクの形状やカートリッジの形状は、すべて同じである。リードイン領域の開始位置についても、第１及び第２の次世代ＭＤのディスクも、半径位置２９ｍｍから始まり、現行のＭＤシステムで使用されているディスクと同様である。つまり、従来のＭＤシステムとの外形上での互換性が確保されているものである。
【００３０】
トラックピッチについては、第２の次世代ＭＤでは、１.２５μｍとされ、現行のＭＤシステムのディスクを流用する第１の次世代ＭＤでは、トラックピッチは１.６μｍとされている。ビット長は、第１の次世代ＭＤが０.４４μｍ/ビットとされ、第２の次世代ＭＤが０.１６μｍ/ビットとされる。冗長度は、第１及び第２の次世代ＭＤともに、２０.５０％である。
【００３１】
第２の次世代ＭＤ仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
【００３２】
具体的に、第２の次世代ＭＤ仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００３３】
また、第２の次世代ＭＤ仕様のディスクでは、デトラックマージン、ランドからのクロストーク、ウォブル信号のクロストーク、フォーカスの漏れを改善するために、グルーブを深くし、グルーブの傾斜を鋭くしている。即ち第２の次世代ＭＤ仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００３４】
光学的仕様については、第１の次世代ＭＤの仕様では、レーザ波長λが７８０ｎｍとされ、光学ヘッドの対物レンズの開口率ＮＡが０.４５とされている。第２の次世代ＭＤの仕様も同様に、レーザ波長λが７８０ｎｍとされ、光学ヘッドの開口率ＮＡが０.４５とされている。
【００３５】
また記録方式としては、第１の次世代ＭＤでは、グルーブ（ディスクの盤面上の溝）をトラックとして記録再生に用いるグルーブ記録方式が採用され、第２の次世代ＭＤではグルーブ記録方式及び磁壁移動検出（ＤＷＤＤ）方式が採用されている。
【００３６】
さらに、エラー訂正符号化方式としては、現行のＭＤシステムでは、ＡＣＩＲＣ（Advanced Cross Interleave Reed-Solomon Code）による畳み込み符号が用いられていたが、第１及び第２の次世代ＭＤの仕様では、ＲＳ−ＬＤＣ（Reed Solomon−Long Distance Code）とＢＩＳ（Burst Indicator Subcode）とを組み合わせたブロック完結型の符号が用いられている。このブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００３７】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
【００３８】
ＡＤＩＰの仕様については、現行のＭＤシステムと同様であるが、現行のＭＤシステムでは、２３５２バイトからなるセクタを記録再生のアクセス単位としているのに対して、第１及び第２の次世代ＭＤの仕様では、６４Ｋバイトを記録再生のアクセス単位（レコーディングブロック）としている。
【００３９】
また、現行のＭＤシステムでは、エラー訂正符号としてＡＣＩＲＣと呼ばれる畳み込み符号が用いられているのに対して、第１及び第２の次世代ＭＤの仕様では、ＬＤＣとＢＩＳとを組み合わせたブロック完結型の符号が用いられている。
【００４０】
そこで、現行のＭＤシステムのディスクを流用する第１の次世代ＭＤの仕様では、ＡＤＩＰ信号の扱いを、現行のＭＤシステムのときとは異なるようにしている。また、第２の次世代ＭＤでは、第２の次世代ＭＤの仕様により合致するように、ＡＤＩＰ信号の仕様に変更を加えている。
【００４１】
変調方式については、現行のＭＤシステムでは、ＥＦＭ（8 to 14 Modulation）が用いられているのに対して、第１及び第２の次世代ＭＤの仕様では、ＲＬＬ（１，７）ＰＰ（ＲＬＬ;Run Length Limited ,ＰＰ;Parity Preserve/Prohibit rmtr（repeated minimum transition runlength））（以下、１−７ｐｐ変調と称する）が採用されている。また、データの検出方式は、第１の次世代ＭＤではパーシャルレスポンスＰＲ（１，２，１）ＭＬを用い、第２の次世代ＭＤではパーシャルレスポンスＰＲ（１，−１）ＭＬを用いたビタビ復号方式とされている。
【００４２】
また、ディスク駆動方式はＣＬＶ（Constant Linear Velocity）で、その線速度は、第１の次世代ＭＤの仕様では、２．７ｍ／秒とされ、第２の次世代ＭＤの仕様では、１．９８ｍ／秒とされる。なお、現行のＭＤシステムの仕様では、６０分ディスクで１．２ｍ／秒、７４分ディスクで１．４ｍ／秒とされている。
【００４３】
現行のＭＤシステムで用いられるディスクをそのまま流用する第１の次世代ＭＤの仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウマージンが０．５から０．６６６となり、この点で、１．３３倍の高密度化が実現できる。
【００４４】
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００４５】
これに対し磁気超解像を利用した第２の次世代ＭＤの仕様のディスクでは、更に線密度方向の高密度化が図られ、データ総記録容量は、約１Ｇバイトになる。なお、データレートは第１の次世代ＭＤでは４．４Ｍビット／秒であり、第２の次世代ＭＤでは、９．８Ｍビット／秒である。
【００４６】
図２（Ａ）は、第１の次世代ＭＤのディスクの構成を示すものである。第１の次世代ＭＤのディスクは、現行のＭＤシステムのディスクをそのまま流用したものである。すなわち、透明のポリカーボネート基板上に、誘電体膜と、磁性膜と、誘電体膜と、反射膜とを積層して構成される。さらに、その上に保護膜が積層される。
【００４７】
第１の次世代ＭＤのディスクでは、この図２（Ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００４８】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００４９】
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００５０】
また、Ｕ−ＴＯＣの外周には、アラートトラックが設けられる。アラートトラックは、このディスクが第１の次世代ＭＤ方式で使用され、現行のＭＤシステムのプレーヤでは再生できないことを示す警告音が記録された警告トラックである。
【００５１】
図２（Ｂ）は、第１の次世代ＭＤの仕様のディスクのレコーダブル領域の構成を示すものである。この図２（Ｂ）からも明らかなように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
【００５２】
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。このようなガードバンドが設けられるため、現行のＭＤプレーヤに第１の次世代ＭＤの仕様のディスクが装着されて、不具合が発生されることが防止される。
【００５３】
１−７ｐｐ変調によりデータが変調されて記録される領域の先頭（内周側）には、ＤＤＴ（Disc Description Table）領域と、セキュアトラックが設けられる。ＤＤＴ領域には、物理的に欠陥のあるセクタ（レコーディングブロック）に対する交替セクタ処理をするために設けられる。ＤＤＴ領域には、さらに、ディスクＩＤが記録される。ディスクＩＤは、記録媒体毎に固有の識別コードであって、例えば所定に発生された乱数に基づく。
【００５４】
また、スクラッチパッドとしての領域や、ＳＲＢ（Serial Recording Bitmap）と呼ばれる、記録したクラスタに対応したビットを「１」とするビットマップが記録される。セキュアトラックは、コンテンツの保護を図るための情報が格納される。
【００５５】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
【００５６】
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００５７】
このような第１の次世代ＭＤの仕様のディスクにおいて、上述のＵ−ＴＯＣ領域には、アラートトラックの開始位置の情報と、１−７ｐｐ変調でデータが変調されて記録される領域の開始位置の情報が記録されるものとなる。
【００５８】
ここで、現行のＭＤシステムのプレーヤに、上述の構成による第１の次世代ＭＤのディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。
【００５９】
アラートトラックには、このディスクが第１の次世代ＭＤ方式で使用され、現行のＭＤシステムのプレーヤでは再生できないことを示す警告音が記録されている。この警告音から、このディスクが現行のＭＤシステムのプレーヤでは使用できないことが通知される。なお、この場合の警告音としては、「このプレーヤでは使用できません」というような言語による警告とすることができる。勿論、ブザー音とするようにしても良い。
【００６０】
一方、第１の次世代ＭＤに準拠したプレーヤに対し、第１の次世代ＭＤのディスクが装着された場合、Ｕ−ＴＯＣ領域が読み取られ、Ｕ−ＴＯＣの情報から１−７ｐｐ変調でデータが記録された領域の開始位置が分かり、上述したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００６１】
図３（Ａ）は、第２の次世代ＭＤのディスクの構成を示すものである。この場合もディスクは、透明のポリカーボネート基板上に誘電体膜、磁性膜、誘電体膜、反射膜、さらにその上層に保護膜を積層してなる。
【００６２】
そして、第２の次世代ＭＤのディスクの場合では、図示するようにディスクの内周のリードイン領域には、ＡＤＩＰ信号により、コントロール情報が記録されるものとなる。
【００６３】
第２の次世代ＭＤのディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００６４】
あるディスクが第１の次世代ＭＤであるか第２の次世代ＭＤであるかは、リードインの情報から判断できる。すなわち、リードインにエンボスピットによるＰ−ＴＯＣが検出されれば、現行のＭＤまたは第１の次世代ＭＤのディスクであると判断できる。リードインにＡＤＩＰ信号によるコントロール情報が検出され、エンボスピットによるＰ−ＴＯＣが検出されなければ、第２の次世代ＭＤであると判断できる。
【００６５】
なお第１及び第２の次世代ＭＤの判別は、このような方法に限定されるものではない。オントラックのときとオフトラックのときとのトラッキングエラー信号の位相から判別することも可能である。勿論、カートリッジ等にディスク識別用の検出孔等を設けるようにしても良い。
【００６６】
第２の次世代ＭＤの仕様のディスクのレコーダブル領域の構成としては、図３（Ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域及びセキュアトラックが設けられる。
【００６７】
この場合も上述のＤＤＴ領域には、物理的に欠陥のあるセクタ（レコーディングブロック）に対する交替セクタ処理を行うための領域とされる。またＤＤＴ領域には、上述したディスクＩＤが記録される。また上述したスクラッチパッド領域やＳＲＢが設けられる。さらにセキュアトラックには、この場合もコンテンツの保護を図るための情報が格納される。
【００６８】
また、１−７ｐｐ変調でデータが変調されて記録される領域には、ＦＡＴ領域も設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００６９】
そして、このような第２の次世代ＭＤのディスクにおいては、この図３（Ｂ）からも明らかなように、Ｕ−ＴＯＣ領域は設けられていない。つまり第２の次世代ＭＤのディスクについては、次世代ＭＤに準拠したプレーヤのみでの使用が想定されているものである。
【００７０】
次世代ＭＤに準拠したプレーヤでは、第２の次世代ＭＤのディスクが装着されると、所定の位置にあるＤＤＴ領域、セキュアトラック及びＦＡＴ領域が読み取られ、ＦＡＴシステムを使ってデータの管理が行われることになる。
【００７１】
ＦＡＴシステムで管理され、図２（Ｂ）及び図３（Ｂ）のデータ領域に記録されるデータとしては、データファイル、トラックインフォメーションファイル（ＴＩＦ）、鍵情報ファイル、ＭＡＣリストファイルなどがある。
【００７２】
データファイルは、例えばオーディオデータやコンピュータユースのデータなどのデータファイルである。
【００７３】
またトラックインフォメーションファイル（ＴＩＦ）は、オーディオデータファイルに納められた音楽データを管理するための各種の情報が記述されたファイルである。トラックインフォメーションファイルには、楽曲の再生順を示すプレイオーダテーブル、ユーザが指定した再生順を管理するプログラムドプレイオーダテーブル、楽曲のアルバム単位等のグループかを管理するグループインフォメーションテーブル、各トラック（楽曲）に関する情報が記述されるトラックインフォメーションテーブル、各トラックのパーツを管理するパーツインフォメーションテーブル、各トラックに付加される文字情報を管理するネームテーブルを有する。
【００７４】
さらに鍵情報ファイルは、暗号化方式における鍵のバージョン情報を示すデータが記述される。さらにＭＡＣリストファイルは、改竄チェックのためのＭＡＣ値が記述される。
【００７５】
（３）本実施の形態による記録再生装置の内部構成
図４に本実施の形態による記録再生装置１内部の全体構成について説明する。この図４において、記録再生装置１は、ミニディスク（ＭＤ）方式のディスク１０を記録媒体として当該ディスク１０に記録されているオーディオデータを再生し得るようになされている。
【００７６】
また本実施の形態による記録再生装置１は、オーディオ再生機器以外にも、外部機器（以下、パーソナルコンピュータとする）１１とＵＳＢケーブル１２を介して接続することで、パーソナルコンピュータ１１に対する外部ストレージ機器として機能し得るようになされている。
【００７７】
また、この記録再生装置１は、パーソナルコンピュータ１１を介したり、或いは直接ネットワークと接続できる機能を搭載するなどしてネットワーク接続することで、音楽や各種データをダウンロードし、これをストレージ部１３においてディスク１０に保存できるものともなる。
【００７８】
すなわち本実施の形態による記録再生装置１は、パーソナルコンピュータ１１等に接続することで汎用的なデータストレージ機器として利用でき、かつ単体でもオーディオ再生機器としても利用できる装置である。
【００７９】
なお以下においては、パーソナルコンピュータ１１の被接続機器とされてデータ記録再生が行われる動作状態を「ストレージモード」、パーソナルコンピュータと接続されずに単体でオーディオ再生を行う動作状態を「オーディオモード」と呼ぶこととする。
【００８０】
この図４において、記録再生装置１内の本体部２は、主としてシステム全体を統括制御する部分であるフロントエンド部１４と、オーディオデータのエンコード及びデコードを制御する部分であるバックエンド部１５とを有し、フロントエンド部１４及びバックエンド部１５がそれぞれコマンドインターフェース１６及びＳＤＲＡＭ（Synchronous Dynamic Random Access Memory）インターフェース１７を介して相互に接続されて構成されている。
【００８１】
フロントエンド部１４は、メインＣＰＵ（Central Processing Unit）１８、ＲＡＭ（Random Access Memory）１９、ＲＯＭ（Read Only Memory）２０、不揮発性ＲＡＭ２１及び暗号化／復号化部２２がバス２３を介して相互に接続されて構成されている。このフロントエンド部１４において、メインＣＰＵ１８は、ＵＳＢインターフェース２４を介して、外部のホスト機器として接続されたパーソナルコンピュータ１１とＵＳＢケーブル１２で接続された際のデータ伝送のための処理を行う。
【００８２】
ＲＯＭ２０には、メインＣＰＵ１８の動作プログラムや固定パラメータ等が記憶される。またＲＡＭ１９は、メインＣＰＵ１８によるワーク領域として用いられ、また各種必要な情報の格納領域とされる。例えばストレージ部１３によってディスク１０から読み出された各種管理情報や特殊情報、例えば上述したＰ−ＴＯＣデータ、Ｕ−ＴＯＣデータ、ＦＡＴデータ等、楽曲トラックの管理情報については、キャッシュメモリ２５に取り込まれ、ストレージモード時にはその後パーソナルコンピュータ１１に転送されるが、メインＣＰＵ１８は、それらの管理情報のうち、必要な情報をＲＡＭ１９に取り込んで処理することが行われる。
【００８３】
バックエンド部１５は、サブＣＰＵ２６、ＲＡＭ２７、ＲＯＭ２８、アナログ音声出力部２９、暗号化／復号化部３０、ＰＣＭ（Pulse Code Modulation）バッファ３１がバス３２を介して相互に接続されている。
【００８４】
このバックエンド部１５において、サブＣＰＵ２６は、フロントエンド部１４におけるメインＣＰＵ１８の制御の下で、ＲＯＭ２８から読み出した所定のエンコード／デコードプログラムに基づいて、ＡＴＲＡＣ（Adaptive Transform Acoustic Coding）方式によるオーディオデータの圧縮／伸長処理を実行するようになされている。
【００８５】
ＲＯＭ２８には、サブＣＰＵ２６の動作プログラムや固定パラメータ等が記憶される。またＲＡＭ２７は、サブＣＰＵ２６によるワーク領域として用いられ、また各種必要な情報の格納領域とされる。例えばオーディオモード時には、ストレージ部１３によってディスク１０から読み出された各種管理情報や特殊情報などをＳＤＲＡＭからなるキャッシュメモリ２５を介して転送されるが、サブＣＰＵ２６は、それらの管理情報のうち、必要な情報をＲＡＭ２７に取り込んで処理することが行われる。
【００８６】
なお、もちろんのこと、本実施の形態の記録再生装置１としては、例えばＭＰ３などの他のフォーマットによる圧縮オーディオデータが記録再生可能な構成を採ってもよく、この場合には、これらの圧縮オーディオデータのフォーマットに対応したエンコーダ／デコーダプログラムをＲＯＭ１９、２８に格納しておけばよい。
【００８７】
フロントエンド部１４及びバックエンド部１５間を接続するＳＤＲＡＭインターフェース１７は、キャッシュメモリ２５及び続くストレージ部１３に順次接続されている。
【００８８】
キャッシュメモリ２５は、例えばＳＤＲＡＭより構成され、ストレージ部１３に装填されたディスク１０に書き込むデータ、或いはストレージ部１３によってディスク１０から読み出されたデータについてのバッファリングを行う。
【００８９】
ストレージ部１３は、上述のように現行ＭＤと、第１及び第２の次世代ＭＤとに対応した記録再生手段であり、記録モード時には、キャッシュメモリ２５から転送されるデータに対してＥＦＭ変調方式又は１−７ｐｐ変調方式で変調してディスク１０に書き込む。またストレージ部１３は、再生モード時には、ディスク１０から読み出したデータをＥＦＭ復調方式又は１−７ｐｐ復調方式で復調してキャッシュメモリ２５に転送する。
【００９０】
フロントエンド部１４内のメインＣＰＵ１８は、ＵＳＢインターフェース２４を介してパーソナルコンピュータ１１からの書込み要求や読出し要求などの各種コマンドを受信し、このコマンドに応じてバックエンド部１５内のサブＣＰＵ２６及びストレージ部１３を制御するなどの各種制御処理を実行する。
【００９１】
例えばメインＣＰＵ１８は、パーソナルコンピュータ１１から送信されるアドレス及びデータ長を指定したデータの書込み要求をＵＳＢインターフェース２４を介して受信すると、これに応じてＵＳＢインターフェース２４及びキャッシュメモリ２５を制御することにより、その後パーソナルコンピュータ１１から送信されるそのデータをＵＳＢインターフェース２４を介してキャッシュメモリ２５に入力して一時記憶させる。そしてメインＣＰＵ１８は、この後キャッシュメモリ２５及びストレージ部１３を制御することにより、このキャッシュメモリ２５に一時記憶されたデータをストレージ部１３に転送させてディスク１０上の指定されたアドレス位置に書き込ませる。
【００９２】
またメインＣＰＵ１８は、パーソナルコンピュータ１１から送信されるアドレス及びデータ長を指定したデータの読出し要求をＵＳＢインターフェース２４を介して受信すると、これに応じてストレージ部１３及びキャッシュメモリ２５を制御することにより、指定されたデータをディスク１０から読み出させてキャッシュメモリ２５に転送させ、これを当該キャッシュメモリ２５に一時記憶させる。そしてメインＣＰＵ１８は、この後キャッシュメモリ２５及びＵＳＢインターフェース２４を制御することにより、このキャッシュメモリ２５に一時記憶されたデータをＵＳＢインターフェース２４を介してパーソナルコンピュータ１１に送信させる。
【００９３】
さらにこの場合のフロントエンド部１４内には、暗号化／復号化部２２が設けられる。暗号化／復号化部２２においては、例えばディスク１０に記録すべきオーディオデータについて、所定のアルゴリズムによる暗号化処理を施すようにされる。また、例えばディスク１０から読み出されたオーディオデータについて暗号化が施されている場合には、必要に応じて暗号解読のための復号処理を実行するようになされている。
【００９４】
フロントエンド部１４を介した処理として、ディスク１０にオーディオデータが記録されるのは、例えばＵＳＢインターフェース２４を介して外部機器であるパーソナルコンピュータ１１から供給されるディジタルオーディオデータをダウンロードする場合である。
【００９５】
フロントエンド部１４において、メインＣＰＵ１８は、ＵＳＢインターフェース２４を介して入力されたリニアＰＣＭディジタルオーディオデータに対して、バックエンド部１５のサブＣＰＵ２６を制御してＡＴＲＡＣ圧縮エンコードさせた後にキャッシュメモリ２５に蓄積する。そしてメインＣＰＵ１８は、キャッシュメモリ２５から所定タイミング（ＡＤＩＰクラスタ相当のデータ単位）でＡＴＲＡＣ圧縮データを読み出してストレージ部１３に転送する。ストレージ部１３では、転送されてくる圧縮データを所定の変調方式で変調してディスク１０に書き込む。
【００９６】
バックエンド部１５におけるサブＣＰＵ２６は、例えば記録再生装置１が単体でオーディオ再生機器として機能する場合に再生データの入出力のための処理を行う。
【００９７】
さらにバックエンド部１５は、出力系としてＤ／Ａ（ディジタル／アナログ）コンバータ２９Ａ及びヘッドホンアンプ２９Ｂからなるアナログ音声出力部２９を有する。
【００９８】
そして、この場合のバックエンド部１５内には、暗号化／復号化部３０が設けられる。暗号化／復号化部３０においては、例えばディスク１０に記録すべきオーディオデータについて、所定のアルゴリズムによる暗号化処理を施すようにされる。また、例えばディスク１０から読み出されたオーディオデータについて暗号化が施されている場合には、必要に応じて暗号解読のための復号処理を実行するようにもされている。
【００９９】
ディスク１０からミニディスク方式のオーディオデータが再生される場合は、ストレージ部１３は再生データをＡＴＲＡＣ圧縮データ状態に復調してキャッシュメモリ２５に転送する。そしてキャッシュメモリ２５から読み出されてバックエンド部１５に転送される。バックエンド部１５は、供給されてくる圧縮オーディオデータに対してＡＴＲＡＣ圧縮デコードを行ってリニアＰＣＭオーディオデータとし、ＰＣＭバッファ３１に一時的に記憶しながら、アナログ音声処理部２９内のＤ／Ａコンバータ２９Ａ及び続くヘッドホンアンプ２９Ｂを介してアナログ音声信号としてヘッドホン出力を行う。
【０１００】
さらに本体部における本体側表示部４及び本体側操作部５と、リモートコントローラ３Ｃにおけるリモコン側表示部６及びリモコン側操作部７とは、本体部２のフロントエンド部１４内のバス２３にそれぞれ接続されている。
【０１０１】
そして本体側表示部４及びリモコン側表示部６は、メインＣＰＵ１８の制御に基づいて、ユーザに対して提示すべき各種情報の表示を行う。例えば動作状態、モード状態、楽曲等の名称などの文字データ、トラックナンバー、時間情報、その他の情報表示を行う。
【０１０２】
また本実施の形態において、例えばディスク１０が次世代ディスクである場合には、このディスク１０に対し楽曲データに対応づけて画像データが記憶されていることが想定されているが、本体側表示部４及びリモコン側表示部６は、ディスク１０のロード時や再生時等においてメインＣＰＵ１８の制御に基づき、このように対応づけられた画像データの表示を行うようにすることも考えられる。
【０１０３】
本体側操作部５及びリモコン側操作部７には、ユーザによる操作により、記録再生装置１に対する所要の動作指示を行う。メインＣＰＵ１８は本体側操作部５及びリモコン側操作部７によって入力された操作情報に基づいて所定の制御処理を行う。
【０１０４】
なお、これまでに説明した記録再生装置１の構成はあくまでも一例であり、例えばパーソナルコンピュータとの接続はＵＳＢでなく、ＩＥＥＥ（Institute of Electrical and Electronic Engineers）１３９４等の他の外部インターフェースが用いられても良い。
【０１０５】
（４）ストレージ部１３の構成
ここまで説明してきたような次世代ディスクに対応するために、図４に示す本実施の形態による記録再生装置１は、ストレージ部１３として、図５に示す構成のストレージ部１３を備えて、データの記録・再生を行うものとされる。
【０１０６】
図５において、このストレージ部１３では、装填されたディスク１０をスピンドルモータ４０によってＣＬＶ方式で回転駆動させる。そして、このディスク１０に対しては記録／再生時に光学ヘッド４１によってレーザ光が照射される。
【０１０７】
なお、この場合、ディスク１０としては、現行のＭＤ仕様のディスクと、第１の次世代ＭＤの仕様のディスクと、第２の次世代ＭＤの仕様のディスクとが装着される可能性があることから、これらのディスクにより線速度が異なるものとなる。このため、スピンドルモータ４０は、装填されたディスク１０の別に応じた異なる線速度に対応して回転されることになる。
【０１０８】
光学ヘッド４１は、記録時には記録トラックをキュリー温度まで加熱するための高レベルのレーザ出力を行い、また再生時には磁気カー効果により反射光からデータを検出するための比較的低レベルのレーザ出力を行う。
【０１０９】
このため、光学ヘッド４１には、図示は省略するがレーザ出力手段としてのレーザダイオード、偏光ビームスプリッタや対物レンズ等からなる光学系、及び反射光を検出するためのディテクタが搭載されている。光学ヘッド４１に備えられる対物レンズとしては、例えば２軸機構によってディスク半径方向及びディスク１０に接離する方向に変位可能に保持されている。
【０１１０】
また、ディスク１０を挟んで光学ヘッド４１と対向する位置には磁気ヘッド４２が配置されている。磁気ヘッド４２は記録データによって変調された磁界をディスク１０に印加する動作を行う。
【０１１１】
また、図示しないが光学ヘッド４１全体及び磁気ヘッド４２をディスク半径方向に移動させためスレッドモータ及びスレッド機構が備えられている。
【０１１２】
光学ヘッド４１および磁気ヘッド４２は、第２の次世代ＭＤのディスクの場合には、パルス駆動磁界変調を行うことで、微少なマークを形成することができる。現行ＭＤのディスクや、第１の次世代ＭＤのディスクの場合には、磁界変調方式とされる。
【０１１３】
また、このストレージ部１３では、光学ヘッド４１、磁気ヘッド４２による記録再生ヘッド系、スピンドルモータ４０によるディスク回転駆動系のほかに、記録処理系、再生処理系、サーボ系等が設けられる。
【０１１４】
記録処理系では、現行のＭＤシステムのディスク１０の場合において、オーディオトラックの記録時に、ＡＣＩＲＣでエラー訂正符号化を行い、ＥＦＭで変調してデータを記録する部位と、第１又は第２の次世代ＭＤの場合に、ＢＩＳとＬＤＣを組み合わせた方式でエラー訂正符号化を行い、１−７ｐｐ変調により変調して記録する部位が設けられる。
【０１１５】
再生処理系では、現行のＭＤシステムのディスク１０の再生時に、ＥＦＭの復調とＡＣＩＲＣによるエラー訂正処理と、第１又は第２の次世代ＭＤシステムのディスク１０の再生時に、パーシャルレスポンスおよびビタビ復号を用いたデータ検出に基づく１−７ｐｐ復調と、ＢＩＳとＬＤＣによるエラー訂正処理とを行う部位が設けられる。
【０１１６】
また、現行のＭＤシステムや第１の次世代ＭＤのＡＤＩＰ信号よるアドレスをデコードする部位と、第２の次世代ＭＤのＡＤＩＰ信号をデコードする部位とが設けられる。
【０１１７】
光学ヘッド４１のディスク１０に対するレーザ照射によりその反射光として検出された情報（フォトディテクタによりレーザ反射光を検出して得られる光電流）は、ＲＦアンプ４３に供給される。
【０１１８】
ＲＦアンプ４３では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスクにトラックのウォブリングにより記録されているＡＤＩＰ情報）等を抽出する。
【０１１９】
現行のＭＤシステムのディスク１０を再生するときには、ＲＦアンプで得られた再生ＲＦ信号は、ＥＦＭ復調部４４およびＡＣＩＲＣデコーダ４５で処理される。すなわち再生ＲＦ信号は、ＥＦＭ復調部４４で２値化されてＥＦＭ信号列とされた後、ＥＦＭ復調され、更にＡＣＩＲＣデコーダ４５で誤り訂正およびデインターリーブ処理される。つまりこの時点でＡＴＲＡＣ圧縮データの状態となる。
【０１２０】
そして現行のＭＤシステムのディスク１０の再生時には、セレクタ４６はＢ接点側が選択されており、その復調されたＡＴＲＡＣ圧縮データがディスク１０からの再生データとして出力される。
【０１２１】
一方、第１又は第２の次世代ＭＤのディスク１０を再生するときには、ＲＦアンプ４３で得られた再生ＲＦ信号は、ＲＬＬ（１−７）ＰＰ復調部４７およびＲＳ−ＬＤＣデコーダ４８で処理される。
【０１２２】
すなわち再生ＲＦ信号は、ＲＬＬ（１−７）ＰＰ復調部４７において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ４８で誤り訂正、及びデインターリーブ処理される。
【０１２３】
そして、第１又は第２の次世代ＭＤのディスクの再生時には、セレクタ４６はＡ接点側が選択されており、その復調されたデータがディスク１０からの再生データとして出力される。
【０１２４】
ＲＦアンプ４３から出力されるトラッキングエラー信号、フォーカスエラー信号はサーボ回路４９に供給され、グルーブ情報はＡＤＩＰ復調部５０に供給される。
【０１２５】
ＡＤＩＰ復調部５０は、グルーブ情報に対してバンドパスフィルタにより帯域制限してウォブル成分を抽出した後、ＦＭ復調、バイフェーズ復調を行ってＡＤＩＰ信号を復調する。
【０１２６】
そして、このように復調された、ディスク１０上の絶対アドレス情報であるＡＤＩＰアドレスは、図４に示されるフロントエンド部１４内のメインＣＰＵ１８に供給される。メインＣＰＵ１８ではＡＤＩＰアドレスに基づいて所要の制御処理を実行する。
【０１２７】
またグルーブ情報はスピンドルサーボ制御のためにサーボ回路５１に供給される。サーボ回路５１は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
【０１２８】
またサーボ回路５１は、スピンドルエラー信号や、ＲＦアンプ５３から供給されたトラッキングエラー信号、フォーカスエラー信号、あるいはメインＣＰＵ１８からのトラックジャンプ指令、アクセス指令等に基づいて各種サーボ制御信号（トラッキング制御信号、フォーカス制御信号、スレッド制御信号、スピンドル制御信号等）を生成し、モータドライバ５１に対して出力する。すなわち前記サーボエラー信号や指令に対して位相補償処理、ゲイン処理、目標値設定処理等の必要処理を行って各種サーボ制御信号を生成する。
【０１２９】
モータドライバ５１では、サーボ回路４９から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ４９を駆動するスピンドルモータ駆動信号となる。
【０１３０】
このようなサーボドライブ信号により、ディスク１０に対するフォーカス制御、トラッキング制御、およびスピンドルモータ４０に対するＣＬＶ制御が行われることになる。
【０１３１】
現行のＭＤシステムのディスクでオーディオデータを記録するときには、セレクタ５２がＢ接点に接続され、したがってＡＣＩＲＣエンコーダ５３およびＥＦＭ変調部５４が機能することになる。
【０１３２】
この場合、記録データとして図４に示されるキャッシュメモリ２５から供給される圧縮データは、ＡＣＩＲＣエンコーダ５３でインターリーブおよびエラー訂正コード付加が行われた後、ＥＦＭ変調部５４でＥＦＭ変調が行われる。
【０１３３】
そして、ＥＦＭ変調データがセレクタ５２を介して磁気ヘッドドライバ５５に供給され、磁気ヘッド４２がディスク１０に対してＥＦＭ変調データに基づいた磁界印加を行うことでオーディオトラックの記録が行われる。
【０１３４】
これに対し、第１の次世代ＭＤまたは第２の次世代ＭＤ２ディスクにデータを記録する時には、セレクタ５２がＡ接点に接続され、ＲＳ−ＬＤＣエンコーダ５６およびＲＬＬ（１−７）ＰＰ変調部５７が機能することになる。この場合、キャッシュメモリ２５からの高密度データは、ＲＳ−ＬＤＣエンコーダ５６でインターリーブおよびＲＳ−ＬＤＣ方式のエラー訂正コード付加が行われた後、ＲＬＬ（１−７）ＰＰ変調部５７でＲＬＬ（１−７）変調が行われる。
【０１３５】
そして、ＲＬＬ（１−７）符号列としての記録データがセレクタ５２を介して磁気ヘッドドライバ５５に供給され、磁気ヘッド４２がディスク１０に対して変調データに基づいた磁界印加を行うことでデータトラックの記録が行われる。
【０１３６】
レーザドライバ／ＡＰＣ５８は、前記のような再生時および記録時においてレーザダイオードにレーザ発光動作を実行させるが、いわゆるＡＰＣ（Automatic Lazer Power Control）動作も行う。
【０１３７】
つまり、図示していないが、光学ヘッド４１内にはレーザパワーモニタ用のディテクタが設けられ、そのモニタ信号がレーザドライバ／ＡＰＣ５８にフィードバックされる。レーザドライバ／ＡＰＣ５８は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【０１３８】
なお、レーザパワーとしては、再生レーザパワー、記録レーザパワーとしての値がメインＣＰＵ１８によって、レーザドライバ／ＡＰＣ５８内部のレジスタにセットされる。
【０１３９】
以上の各動作（アクセス、各種サーボ、データ書込、データ読出の各動作）は、図４に示されるフロントエンド部１４内のメインＣＰＵ１８からの指示に基づいて実行されるものとなる。
【０１４０】
（５）本実施の形態による選択ホールド機能
本実施の形態による記録再生装置１では、本体側操作部５及びリモコン側操作部７の各キー群Ｋ１〜Ｋ８について、これら全てのキー群Ｋ１〜Ｋ８を操作無効な状態にさせるのみならず、ユーザが指定した所望のキーのみを操作無効な状態にさせる機能（以下、これを選択ホールド機能と呼ぶ）を必要に応じて設定し得るようになされている。
【０１４１】
実際に、本体側操作部５及びリモコン側操作部７は、図６に示すように構成されている。これら本体側操作部５及びリモコン側操作部７では、それぞれ押圧式のスイッチでなるキー群Ｋ１〜Ｋ８が全て並列接続されており、当該各キーＫ１〜Ｋ８の一端が共通の負荷抵抗Ｒ１、Ｒ２を介して基準電圧源Ｖｄｄに接続されると共にグランドＧＮＤにも接続されている。また各キーＫ１〜Ｋ８は、各他端がメインＣＰＵ１８の入力端を共通の接続端として、当該各他端同士が同一の抵抗値でなる負荷抵抗５Ｒ１〜５Ｒ７、７Ｒ１〜７Ｒ７を介して接続されている。
【０１４２】
本体側操作部５及びリモコン側操作部７において、メインＣＰＵ１８は、ロックスイッチＳＷ１がオフ状態で、キー群Ｋ１〜Ｋ８のうちユーザによって所望のキーＫｉ（ｉ＝１〜８）が押圧されると、基準電圧源Ｖｄｄから負荷抵抗Ｒ１、Ｒ２を介して供給される電流が、当該押圧されたキーを介していくつかの負荷抵抗５Ｒｉ、７Ｒｉ（ｉ＝１〜８）を直列的に経てメインＣＰＵ１８の入力端に流れ込む。
【０１４３】
メインＣＰＵ１８は、本体側操作部５又はリモコン側操作部７から供給される電流に基づいて、基準電圧源Ｖｄｄと当該メインＣＰＵ１８の入力端との電位差の差分を演算することにより、キー群Ｋ１〜Ｋ８のうちユーザがいずれのキーＫｉ（ｉ＝１〜８）を押圧したのかを認識することができる。
【０１４４】
例えばユーザがキー群Ｋ１〜Ｋ８のうち再生キーＫ３を押圧した場合、基準電圧源Ｖｄｄから供給される電流は、当該再生キーＫ３を介して３個の負荷抵抗５Ｒ１〜５Ｒ３、７Ｒ１〜７Ｒ３を経てメインＣＰＵ１８に流れ込むことにより、当該メインＣＰＵ１８は、基準電圧源Ｖｄｄと当該メインＣＰＵ１８の入力端との電位差の差分を演算して、負荷抵抗が３個分であることを認識することができれば、ユーザが押圧したキーが再生キーＫ３であることを認識することができる。
【０１４５】
これに対してメインＣＰＵ１８は、ロックスイッチＳＷ１がオン状態のとき、上述した選択ホールド機能を実行することにより、キー群Ｋ１〜Ｋ８のうちユーザによって予め指定されたキーＫｉ（ｉ＝１〜８）のみを操作無効な状態に設定するようになされている。
【０１４６】
ここで本実施の形態による選択ホールド機能の設定方法について、本体部２における本体側操作部５で設定する場合を説明する。この本体側操作部５において、電源オン状態でユーザがメニューキーＫ８を押圧すると、本体側表示部４の表示画面には、図７に示すようなメニュー画面Ｐ１が表示される。
【０１４７】
このメニュー画面Ｐ１には、「操作設定」、「音質設定」、「再生設定」及び「録音設定」の４種類の設定内容を表す項目欄が表示される。この状態でユーザが本体側操作部５における早送りキーＫ４を押圧するごとに、「音質設定」→「再生設定」→「録音設定」→「操作設定」と順次繰り返す一方、本体側操作部５における巻戻しキーＫ２を押圧するごとに、「録音設定」→「再生設定」→「音質設定」→「操作設定」と順次繰り返すようになされている。そしてユーザが本体側操作部５における再生キーＫ３を押圧すると、現在指定されている設定内容が決定される。
【０１４８】
ユーザが設定内容として「操作設定」の項目を指定したとき、本体側表示部４の表示画面には、当該「操作設定」の項目の下位層である「ＬＯＣＫ設定」、「ＸＸＸ設定」、「ＹＹＹ設定」及び「ＺＺＺ設定」の４種類の設定内容を表す項目欄が表示される。
【０１４９】
この状態でユーザが本体側操作部５における早送りキーＫ４を押圧するごとに、「ＸＸＸ設定」→「ＹＹＹ設定」→「ＺＺＺ設定」→「ＬＯＣＫ設定」と順次繰り返す一方、本体側操作部５における巻戻しキーＫ２を押圧するごとに、「ＺＺＺ設定」→「ＹＹＹ設定」→「ＸＸＸ設定」→「ＬＯＣＫ設定」と順次繰り返すようになされている。そしてユーザが本体側操作部５における再生キーＫ３を押圧すると、現在指定されている設定内容が決定される。
【０１５０】
ユーザが設定内容として「ＬＯＣＫ設定」の項目を指定したとき、本体側表示部４の表示画面には、図８に示すような操作禁止対象選択画面Ｐ２が表示される。この操作禁止対象選択画面Ｐ２は、本体側操作部５のキー群Ｋ１〜Ｋ８のうち再生キーＫ３に対応する「ＰＬＡＹ」を表すチェックボックスＣＢ１、停止キーＫ１に対応する「ＳＴＯＰ」を表すチェックボックスＣＢ２、早送りキーＫ４及び巻戻しキーＫ２に対応する「ＦＦ／ＦＲ」を表すチェックボックスＣＢ３、音量プラスキーＫ７に対応する「ＶＯＬＵＭＥ＋」を表すチェックボックスＣＢ４、音量マイナスキーＫ６に対応する「ＶＯＬＵＭＥ−」を表すチェックボックスＣＢ５が表示されている。
【０１５１】
この状態でユーザが本体側操作部５における早送りキーＫ４を押圧するごとに、「ＳＴＯＰ」→「ＦＦ／ＦＲ」→「ＶＯＬＵＭＥ＋」→「ＶＯＬＵＭＥ−」→「ＰＬＡＹ」と順次繰り返す一方、本体側操作部５における巻戻しキーＫ２を押圧するごとに、「ＶＯＬＵＭＥ−」→「ＶＯＬＵＭＥ＋」→「ＦＦ／ＦＲ」→「ＳＴＯＰ」→「ＰＬＡＹ」と順次繰り返すようになされている。そしてユーザが本体側操作部５における再生キーＫ３を押圧すると、現在指定されているチェックボックスがトグルして設定又は非設定が切り換わる。
【０１５２】
例えば図８に示す操作禁止対象選択画面Ｐ２において、ユーザが再生キーＫ３、早送りキーＫ４、巻戻しキーＫ２、音量プラスキーＫ７を操作が無効な状態に設定する一方、停止キーＫ１及び音量マイナスキーＫ６を操作が有効な状態に設定する場合、「ＰＬＡＹ」、「ＦＦ／ＦＲ」及び「ＶＯＬＵＭＥ＋」を表すチェックボックスＣＢ１、ＣＢ３、ＣＢ４をオン状態（黒色）に設定する一方、「ＳＴＯＰ」及び「ＶＯＬＵＭＥ−」を表すチェックボックスＣＢ２、ＣＢ４をオフ状態（無色）のままにすれば良い。
【０１５３】
この後、ユーザがメニューキーＫ８を押圧することにより、操作禁止対象選択画面Ｐ２における各チェックボックスＣＢ１〜ＣＢ５のオン状態又はオフ状態の設定内容が決定される。このとき本体部２内のメインＣＰＵ１８は、図９に示すように、操作禁止対象選択画面Ｐ２の各チェックボックスＣＢ１〜ＣＢ５に割り当てられたビット番号と、当該各チェックボックスＣＢ１〜ＣＢ５のオン状態又はオフ状態を「１」又は「０」とした２値化状態との対応関係を表すテーブル（以下、これを禁止有効設定テーブルと呼ぶ）を作成してフロントエンド部１４内の不揮発性メモリ２１（図４）に格納する。
【０１５４】
なお本実施の形態では本体部２の本体側操作部５について選択ホールド機能を設定するようにした場合について述べたが、リモートコントローラ３Ｃのリモコン側操作部７についても同様に選択ホールド機能を設定するようにしても良い。
【０１５５】
（６）選択ホールド機能設定処理手順
実際に記録再生装置１では、ユーザの操作に応じて本体側操作部５のキー群Ｋ１〜Ｋ８のうちメニューキーＫ８が押圧されると、メインＣＰＵ１８は、図１０に示す選択ホールド機能設定処理手順ＲＴ１をステップＳＰ１から開始し、続くステップＳＰ２において、本体側表示部４の表示画面にメニュー画面Ｐ１（図７）を表示させる。
【０１５６】
続いてメインＣＰＵ１８は、ステップＳＰ３に進んで、メニュー画面Ｐ１内で「操作設定」が選択されたか否かを判断し、肯定結果が得られた場合には、ステップＳＰ４に進んで、操作禁止対象設定画面Ｐ２（図８）を表示した後、ステップＳＰ５に進む。
【０１５７】
このステップＳＰ５において、メインＣＰＵ１８は、操作禁止対象設定画面Ｐ２内でユーザの操作に応じてチェックボックスがトグルされたか否かを判断して、肯定結果が得られた場合には、ステップＳＰ６に進んで、当該チェックボックスについて、オン状態又はオフ状態に応じて黒色又は無色に表示した後、ステップＳＰ７に進む。一方、ステップＳＰ５において否定結果が得られた場合には、チェックボックスが何らトグルされていないことを意味し、このときメインＣＰＵ１８は、そのままステップＳＰ７に進む。
【０１５８】
このステップＳＰ７において、メインＣＰＵ１８は、ユーザによりメニューキーＫ８が押圧されたか否かを判断し、肯定結果が得られるまで、再度ステップＳＰ５に戻って、チェックボックスがトグルされるのを待ちながらステップＳＰ５−ＳＰ６−ＳＰ７を順次繰り返す。
【０１５９】
かかるステップＳＰ７において肯定結果が得られると、このことは操作禁止対象設定画面Ｐ２における各チェックボックスのオン状態又はオフ状態の設定内容が決定されたことを意味し、このときメインＣＰＵ１８は、禁止有効設定テーブルを作成した後に不揮発性メモリ２１に格納した後、そのままステップＳＰ９に進んで、当該選択ホールド機能設定処理手順ＲＴ１を終了する。
【０１６０】
これに対して上述のステップＳＰ３において否定結果が得られると、このことはメニュー画面Ｐ１内で「操作設定」が選択されなかったことを意味し、このときメインＣＰＵ１８は、ステップＳＰ１０に進んで、メニュー画面Ｐ１内で「音質設定」が選択されたか否かを判断する。
【０１６１】
このステップＳＰ１０において肯定結果が得られた場合には、メインＣＰＵ１８は、ステップＳＰ１１に進んで、所定の音質設定画面（図示せず）を表示させた後、そのままステップＳＰ９に進んで、当該選択ホールド機能設定処理手順ＲＴ１を終了する。
【０１６２】
一方、ステップＳＰ１０において否定結果が得られた場合には、このことはメニュー画面Ｐ１内で「音質設定」が選択されなかったことを意味し、このときメインＣＰＵ１８は、ステップＳＰ１２に進んで、メニュー画面Ｐ１内で「再生設定」が選択されたか否かを判断する。
【０１６３】
このステップＳＰ１２において肯定結果が得られた場合には、メインＣＰＵ１８は、ステップＳＰ１３に進んで、所定の再生設定画面（図示せず）を表示させた後、そのままステップＳＰ９に進んで、当該選択ホールド機能設定処理手順ＲＴ１を終了する。
【０１６４】
一方、ステップＳＰ１２において否定結果が得られた場合には、このことはメニュー画面Ｐ１内で「再生設定」が選択されなかったことを意味し、このときメインＣＰＵ１８は、ステップＳＰ１４に進んで、メニュー画面Ｐ１内で「録音設定」が選択されたか否かを判断する。
【０１６５】
このステップＳＰ１４において肯定結果が得られた場合には、メインＣＰＵ１８は、ステップＳＰ１５に進んで、所定の録音設定画面（図示せず）を表示させた後、そのままステップＳＰ９に進んで、当該選択ホールド機能設定処理手順ＲＴ１を終了する。
【０１６６】
このように記録再生装置１では、通常のホールド機能を実行させた場合には本体側操作部５のキー群Ｋ１〜Ｋ８の全てが操作無効な状態になるが、選択ホールド機能を実行させる場合には、本体側操作部５のキー群Ｋ１〜Ｋ８のうちユーザが操作無効な状態にするか操作有効な状態にするかを各キーごとに設定することができる。
【０１６７】
なお本実施の形態では本体部２の本体側操作部５について選択ホールド機能を設定するようにした場合について述べたが、リモートコントローラ３Ｃのリモコン側操作部７についても同様に選択ホールド機能を設定するようにしても良い。
【０１６８】
（７）選択ホールド機能実行処理手順
実際に記録再生装置１では、ユーザの操作に応じて装填されたディスク１０の再生動作が開始されると、メインＣＰＵ１８は、図１１に示す選択ホールド機能実行処理手順ＲＴ２をステップＳＰ２０から開始し、続くステップＳＰ２１において、ユーザによって本体側操作部５及びリモコン側操作部７の一方又は双方のロックスイッチＳＷ１がオン状態にされたか否かによって選択ホールド機能が実行されているかを判断する。
【０１６９】
このステップＳＰ２１において否定結果が得られると、メインＣＰＵ１８は、ステップＳＰ２２に進んで、再生動作時にユーザによって本体側操作部５又はリモコン側操作部７における任意のキーが押圧されたときに、当該押圧されたキーの操作内容を解析した後、ステップＳＰ２３に進んで、当該キーの操作内容を実行する。やがてメインＣＰＵ１８は、そのままステップＳＰ２４に進んで、当該選択ホールド機能実行処理手順ＲＴ２を終了する。
【０１７０】
これに対してステップＳＰ２１において肯定結果が得られると、このことは選択ホールド機能が実行されていること意味し、このときメインＣＰＵ１８は、ステップＳＰ２５に進んで、再生動作時にユーザによって本体側操作部５又はリモコン側操作部７における任意のキーが押圧されたときに、当該押圧されたキーが操作禁止対象であるか否かを判断する。
【０１７１】
このステップＳＰ２５において否定結果が得られた場合には、当該押圧されたキーが操作有効な状態であることを意味し、このときメインＣＰＵ１８は、ステップＳＰ２２に進んで、押圧されたキーの操作内容を解析した後、スピーカ２３に進んで、当該キーの操作内容を実行し、そのままステップＳＰ２４に進んで、当該選択ホールド機能実行処理手順ＲＴ２を終了する。
【０１７２】
一方、ステップＳＰ２５において肯定結果が得られた場合、このことはユーザによって押圧された任意のキーが操作禁止対象であることを意味し、このときメインＣＰＵ１８は、ステップＳＰ２６に進んで、本体側表示部４の表示画面に「選択ホールド中」である旨を表示させた後、ステップＳＰ２４に進んで、当該選択ホールド機能実行処理手順ＲＴ２を終了する。
【０１７３】
このように記録再生装置１では、選択ホールド機能を実行させた場合であっても、操作禁止対象となるキーのみ操作無効な状態に設定することができる一方、操作禁止対象とならないキーについては操作有効な状態に設定することができる。
【０１７４】
（８）本実施の形態による動作及び効果
以上の構成において、この記録再生装置１では、本体部２及びリモートコントローラ３Ｃの一方又は双方について、対応する本体側操作部５やリモコン側操作部７をユーザが操作することにより、当該本体側操作部５やリモコン側操作部７のキー群Ｋ１〜Ｋ８に対してそれぞれ操作禁止対象とするか否かをユーザの選択に応じて予め設定しておく。
【０１７５】
そして記録再生装置１は、ユーザの操作に応じて本体部２及びリモートコントローラ３Ｃの一方又は双方で選択ホールド機能を実行すると、ユーザにより操作禁止対象として設定されたキーについては操作無効な状態にする一方、それ以外のキーについては操作有効な状態にする。
【０１７６】
この後、記録再生装置１は、本体側操作部５やリモコン側操作部７の各キー群Ｋ１〜Ｋ８のうちユーザにより任意のキーが押圧されたとき、当該キーが操作禁止対象であるか否かを判断して、操作禁止対象の場合には操作無効である旨を表示する一方、操作禁止対象でない場合には当該キーの操作内容を実行する。
【０１７７】
従って記録再生装置１が再生動作時に、ユーザが急に再生動作を停止させたい場合や音量レベルを下げたい場合が生じたとき、停止キーや音量マイナスキーについて操作禁止対象でないように予め設定しておけば、選択ホールド機能を実行中であっても、当該設定しておいたキーについてのみ瞬時に操作を行うことができる。
【０１７８】
この結果、この記録再生装置１では、従来のような全てのキーが操作無効な状態となるホールド機能を実行する場合と異なり、ユーザがスライド式のロックスイッチＳＷ１を解除した後でなければ所望の操作を実行することができないという煩雑さを未然に回避することができる。
【０１７９】
以上の構成によれば、この記録再生装置１において、本体部２及びリモートコントローラ３Ｃの一方又は双方について、対応する本体側操作部５やリモコン側操作部７のキー群Ｋ１〜Ｋ８に対してそれぞれ操作禁止対象とするか否かをユーザの選択に応じて予め設定しておき、選択ホールド機能の実行時に、ユーザによって押圧されたキーが操作禁止対象であるか否かを判断して、操作禁止対象の場合にのみ操作無効な状態にするようにしたことにより、例えば再生動作時に緊急に停止させたい場合や音量を下げたい場合が生じても瞬時に対応する操作を行うことができ、かくしてユーザの使い勝手を格段と向上し得る記録再生装置１を実現できる。
【０１８０】
（９）他の実施の形態
なお上述の実施の形態においては、本発明を、現行のＭＤや第１及び第２の次世代ＭＤを記録媒体とする記録再生装置１に適用するようにした場合について述べたが、本発明はこれに限らず、他のディスクメディアやテープ状記録媒体を記録媒体とする記録再生装置にも適用することができ、要は、外部入力による各種の操作内容に応じた処理を実行する情報処理装置であれば、光磁気ディスクの記録再生装置のみならず、ＤＶＤ（Digital Versatile Disk）等の記録及び又は再生装置や、ＣＤ（Compact Disk）等の光ディスクの記録及び又は再生装置やビデオカメラ、携帯電話機など、この他種々の構成の情報処理装置に広く適用することができる。
【０１８１】
特に本実施の形態における記録再生装置１では、パーソナルコンピュータからＵＳＢインターフェース２４を介してダウンロードしたオーディオデータを現行のＭＤや第１及び第２の次世代ＭＤに記録する記録機能と、当該ＭＤからオーディオデータを再生する再生機能を有するものについて述べたが、これ以外にも、当該記録機能にマイクロホン（図示せず）や外部入力端子を介して音楽等を録音する機能を加えた記録再生装置（図示せず）や、単に再生機能のみ有する再生装置（図示せず）にも本発明を適用することができる。
【０１８２】
かかる本実施の形態による記録再生装置１では、フロントエンド部１４におけるＵＳＢインターフェース２４を介してパーソナルコンピュータから暗号化されたリニアＰＣＭディジタルオーディオデータを復号化処理した後に、バックエンド部１５においてＡＴＲＡＣ圧縮エンコードしてからキャッシュメモリ２５に蓄積するようにしたが、これ以外にも上述の録音機能を有する記録再生装置（図示せず）では、外部機器から入力端子を介して入力された暗号化されたＡＴＲＡＣ圧縮オーディオデータを復号化した後にキャッシュメモリ２５に蓄積するようにしても良い。さらには暗号化されたＡＴＲＡＣ圧縮オーディオデータを復号化することなくそのままキャッシュメモリ２５に蓄積しておき、再生時やパーソナルコンピュータへのアップロード時に復号化処理するようにしても良い。
【０１８３】
また上述の実施の形態においては、キャッシュメモリ２５に一時記憶したデータをディスク１０に記録再生する記録再生手段としてのストレージ部１２を図５のように構成するようにした場合について述べたが、本発明はこれに限らず、本発明が適用される記録再生装置に適用される記録媒体の種類に応じて、この他種々の構成を広く適用することができる。
【０１８４】
さらに上述の本実施の形態においては、それぞれ所定の操作内容が割り当てられた複数のキー（操作子）Ｋ１〜Ｋ８と、当該各キー（操作子）Ｋ１〜Ｋ８からの入力を無効にするためのロックスイッチ（設定スイッチ）ＳＷ１とからなる入力手段として、本体部２の場合には本体側操作部５を適用し、リモートコントローラ３Ｃの場合にはリモコン側操作部７を適用するようにした場合について述べたが、本発明はこれに限らず、この他種々の構成の入力手段を広く適用することができる。
【０１８５】
さらに上述の本実施の形態においては、複数のキー（操作子）Ｋ１〜Ｋ８のうち指定された各キー（操作子）Ｋｉ（ｉ＝１〜８）を操作禁止対象として設定する設定手段として、本体部２内のメインＣＰＵ１８を主として適用し、さらに本体部２の場合には本体側操作部５及び本体側表示部４を用い、リモートコントローラ３Ｃの場合にはリモコン側操作部７及びリモコン側表示部６を用いるようにした場合について述べたが、本発明はこれに限らず、要は、複数のキー（操作子）Ｋ１〜Ｋ８の中からユーザが所望するキーを操作禁止対象とすることができれば、この他種々の構成からなる設定手段を広く適用することができる。
【０１８６】
かかる本実施の形態の場合、複数のキー（操作子）Ｋ１〜Ｋ８のうち少なくとも２以上のキー（操作子）と、当該各キー（操作子）からの入力内容を表示するための本体側表示部４又はリモコン側表示部６（表示手段）とを有し、メイン画面Ｐ１表示開始時（設定開始時）に、該当する各キー（操作子）に割り当てられている操作内容を切り換えると共に、複数のキー（操作子）Ｋ１〜Ｋ８をそれぞれ表すチェックボックス（マーク）ＣＢ１〜ＣＢ５を所定の配列状態で表示させた後、各キー（操作子）からの入力に応じて指定されたチェックボックス（マーク）に対応するキー（操作子）を操作無効対象として設定することにより、各キー（操作子）の操作内容を通常の使用時と操作設定時とで兼用させた分だけ、新たに設定内容を入力するための手段を設ける必要がなくて済み、装置全体としての構成を簡易にすることができる。
【０１８７】
さらに本実施の形態においては、主としてメインＣＰＵ１８からなる設定手段による禁止有効設定テーブル（設定内容）を記憶する記憶手段として、本体部２内の不揮発性メモリ２１を適用した場合について述べたが、本発明はこれに限らず、この他種々の構成の記憶手段を広く適用することができる。
【０１８８】
さらに本実施の形態においては、ロックスイッチ（設定スイッチ）ＳＷ１がオン状態で、かつ複数のキー（操作子）Ｋ１〜Ｋ８のうち任意のキー（操作子）Ｋｉ（ｉ＝１〜８）からの入力があったとき、不揮発性メモリ（記憶手段）２１から禁止有効設定テーブル（設定内容）を読み出して、当該キー（操作子）が操作禁止対象であるか否かを判断する判断手段として、本体部２内のメインＣＰＵ１８を適用した場合について述べたが、本発明はこれに限らず、要は、複数のキー（操作子）Ｋ１〜Ｋ８とこれらの操作禁止対象として選択されたかの対応関係を判断することができれば、この他種々の構成からなる判断手段を広く適用することができる。
【０１８９】
さらに本実施の形態においては、メインＣＰＵ（判断手段）１８による判断結果に基づいて、操作されたキー（操作子）が操作禁止対象である場合には当該キー（操作子）からの入力を無効にする一方、操作されたキー（操作子）が操作禁止対象でない場合には当該キー（操作子）からの入力を有効にする制御手段として、本体部２内のメインＣＰＵ１８を適用した場合について述べたが、本発明はこれに限らず、要は、選択ホールド機能時（設定スイッチのオン状態）にユーザが予め操作禁止対象として設定しておいたキーからの入力を無効にすることができれば、この他種々の構成からなる制御手段を広く適用することができる。
【０１９０】
この場合、メインＣＰＵ（制御手段）１８は、ユーザによって押圧されたキーが操作禁止対象であると判断したとき、図１１のステップＳＰ２６のように、操作無効である旨を例えば「選択ホールド中」のように表示させるようにしたが、本発明はこれに限らず、何ら操作無効である旨を表示しない無反応状態のままでも良く、さらにはヘッドホン３Ａからビープ（ＢＥＥＰ）音を放音させるようにしても良い。
【産業上の利用可能性】
【０１９１】
本発明は、現行のＭＤや第１及び第２の次世代ＭＤを記録媒体とする記録再生装置のほか、この他種々の情報処理装置に広く適用することができる。
【図面の簡単な説明】
【０１９２】
【図１】本実施の形態による記録再生装置の外観構成を示す略線的な平面図である。
【図２】第１の次世代ＭＤのディスク構成及びデータフォーマットの説明に供する平面図及び概念図である。
【図３】第２の次世代ＭＤのディスク構成及びデータフォーマットの説明に供する平面図及び概念図である。
【図４】本実施の形態による記録再生装置の構成を示すブロック図である。
【図５】ストレージ部の構成を示すブロック図である。
【図６】本体側操作部及びリモコン側操作部の内部構成を示すブロック図である。
【図７】メニュー画面の表示状態の説明に供する略線的な平面図である。
【図８】操作禁止対象選択画面の表示状態の説明に供する略線的な平面図である。
【図９】禁止有効設定テーブルの記述内容の説明に供する図表である。
【図１０】選択ホールド機能設定処理手順の説明に供するフローチャートである。
【図１１】選択ホールド機能実行処理手順の説明に供するフローチャートである。
【符号の説明】
【０１９３】
１……記録再生装置、２……本体部、３……ヘッドホン部、３Ａ……ヘッドホン、３Ｂ……コード、３Ｃ……リモートコントローラ、４……本体側表示部、５……本体側操作部、６……リモコン側表示部、７……リモコン側操作部、１０……ディスク、１３……ストレージ部、１８……メインＣＰＵ、２１……不揮発性ＲＡＭ、２５……キャッシュメモリ、Ｋ１〜Ｋ８……キー群、ＳＷ１……ロックスイッチ、Ｒ１、Ｒ２、５Ｒ１〜５Ｒ７、７Ｒ１〜７Ｒ７……負荷抵抗、Ｐ１……メニュー画面、Ｐ２……操作禁止対象選択画面、ＲＴ１……選択ホールド機能設定処理手順、ＲＴ２……選択ホールド機能実行処理手順。
【図１】
2006040408.tif 000003
【図２】
2006040408.tif 000004
【図３】
2006040408.tif 000005
【図４】
2006040408.tif 000006
【図５】
2006040408.tif 000007
【図６】
2006040408.tif 000008
【図７】
2006040408.tif 000009
【図８】
2006040408.tif 000010
【図９】
2006040408.tif 000011
【図１０】
2006040408.tif 000012
【図１１】
2006040408.tif 000013